(57)【要約】【課題】薄くて強い金属製のカバーを使用してその外観を改善でき、かつ、前記金属製のカバーによる無線通信特性の低下を防止できる移動通信端末機を提供すること。【解決手段】移動通信端末機は、グランド部を備える本体と、前記本体に結合されて移動通信端末機の外面を形成する金属製のカバーと、前記本体のグランド部を前記カバーに電気的に接続し、前記本体と前記カバーの対向面のいずれか一方に設置されるグランドユニットとを含む。【選択図】図２
2008028987.tif 000002
【特許請求の範囲】
【請求項１】
グランド部を備える本体と、
前記本体に結合されて移動通信端末機の外面を形成する金属製のカバーと、
前記本体のグランド部を前記カバーに電気的に接続し、前記本体と前記カバーの対向面のいずれか一方に設置されるグランドユニットと
を含むことを特徴とする移動通信端末機。
【請求項２】
前記本体に装着されるバッテリをさらに含み、
前記カバーがバッテリカバーであることを特徴とする請求項１に記載の移動通信端末機。
【請求項３】
前記本体に装着されて前記グランド部に電気的に接続される金属製の端子ユニットをさらに含み、
前記グランドユニットが前記端子ユニットを介して前記グランド部を前記カバーに接続することを特徴とする請求項１に記載の移動通信端末機。
【請求項４】
前記本体に装着される回路基板と、
前記本体の一面に形成される導電膜とをさらに含み、
前記グランド部が前記回路基板に形成され、前記導電膜が前記グランド部と前記端子ユニットとを電気的に接続することを特徴とする請求項３に記載の移動通信端末機。
【請求項５】
前記グランドユニットは、
前記端子ユニットに対向する前記カバーの内面に位置する取付部と、
前記取付部から前記端子ユニットに向かって延びる弾性延長部とを含み、
前記弾性延長部が、前記端子ユニットに接触したときに前記カバーに向かって弾性的に変位することを特徴とする請求項３に記載の移動通信端末機。
【請求項６】
前記弾性延長部は、前記端子ユニットに向かって突出する突起部を含むことを特徴とする請求項５に記載の移動通信端末機。
【請求項７】
前記グランドユニットが、少なくとも１つのスロットにより少なくとも前記取付部と前記弾性延長部とに分けられる金属板材であることを特徴とする請求項５に記載の移動通信端末機。
【請求項８】
前記取付部が前記カバーに溶接により固定されることを特徴とする請求項７に記載の移動通信端末機。
【請求項９】
前記端子ユニットが前記本体に装着されるカードソケットであり、
前記カードソケットは、
コネクタと、
前記本体のグランド部に接続されてカードを収容する金属製のホルダーと
を含むことを特徴とする請求項７に記載の移動通信端末機。
【請求項１０】
前記ホルダーに収容されたカードを前記コネクタに向かって弾性的に押圧する押圧突起をさらに含むことを特徴とする請求項９に記載の移動通信端末機。
【請求項１１】
前記押圧突起が、前記取付部に形成されて前記カードに向かって折曲延長されることを特徴とする請求項１０に記載の移動通信端末機。
【請求項１２】
前記グランドユニットは、前記本体に装着される少なくとも１つのポゴピンを含み、
前記少なくとも１つのポゴピンの一端が前記グランド部に接触し、他端が前記カバーに向かって弾性的に変位することを特徴とする請求項１に記載の移動通信端末機。
【請求項１３】
前記少なくとも１つのポゴピンが複数のポゴピンを含み、
前記複数のポゴピンがそれぞれ異なる高さを有することを特徴とする請求項１２に記載の移動通信端末機。
【請求項１４】
前記カバーと前記グランド部とを電気的に接続するか、又は接続解除するスイッチをさらに含むことを特徴とする請求項１に記載の移動通信端末機。
【請求項１５】
前記スイッチがオン位置にある場合、前記カバーと前記グランド部とが電気的に接続され、前記スイッチがオフ位置にある場合、前記カバーと前記グランド部とが電気的に分離され、前記スイッチは、前記移動通信端末機の無線通信特性に応じて前記オン位置と前記オフ位置間を移動可能であることを特徴とする請求項１４に記載の移動通信端末機。
【請求項１６】
前記移動通信端末機が非通信状態の場合、前記スイッチが前記オン位置にあり、前記移動通信端末機が充電状態の場合、前記スイッチが前記オフ位置にあることを特徴とする請求項１５に記載の移動通信端末機。
【請求項１７】
前記本体に対向する前記カバーの内面に絶縁層が形成されることを特徴とする請求項１に記載の移動通信端末機。
【請求項１８】
前記グランドユニットは、前記絶縁層上に配置されるように、前記カバーの内面に設置されることを特徴とする請求項１７に記載の移動通信端末機。
【請求項１９】
前記絶縁層は、絶縁物質をコーティングして形成するか、又は絶縁テープを貼り付けて形成することを特徴とする請求項１７に記載の移動通信端末機。
【請求項２０】
前記グランドユニットは
前記本体に対向する前記カバーの内面に位置する取付部と、
前記取付部から前記本体に向かって延びる弾性延長部と
を含むことを特徴とする請求項１に記載の移動通信端末機。
【請求項２１】
前記弾性延長部は、前記本体に向かって突出する突起部を含むことを特徴とする請求項２０に記載の移動通信端末機。
【請求項２２】
前記グランドユニットが、少なくとも１つのスロットにより少なくとも前記取付部と前記弾性延長部とに分けられる金属板材であることを特徴とする請求項２０に記載の移動通信端末機。
【請求項２３】
前記取付部が前記カバーに溶接により固定されることを特徴とする請求項２０に記載の移動通信端末機。
【請求項２４】
グランド部を備える本体と、
前記本体に結合されて移動通信端末機の外面を形成する金属製のカバーと、
前記本体のグランド部を前記カバーに電気的に接続する手段と
を含むことを特徴とする移動通信端末機。
【発明の詳細な説明】
【技術分野】
【０００１】
本発明は移動通信端末機に関し、より詳しくは、金属製のカバーを有する移動通信端末機に関する。
【背景技術】
【０００２】
一般に、移動通信端末機は、無線通信機能の他にも、音楽及び動画像の再生、写真撮影などのようにユーザの要求に応える多様な機能を実行する。ユーザはより多くの機能を要求しており、携帯性を向上させて装置の小型化に対するユーザの要求に応えるために、前記移動通信端末機は次第に小型化されている。
【０００３】
前記移動通信端末機に使用される電子部品は、空間を最小化するために最適な配置で集積されている。また、前記電子部品が装着されるか、又は前記電子部品を覆うカバーが薄い材質で形成されており、前記移動通信端末機のサイズの最小化に役立つ。
【０００４】
前記カバーの代表的な材質としては、薄くて機械的完全性を有する金属を挙げることができる。金属製のカバーは、外部衝撃やスクラッチなどに強い耐久性を有すると共にシンプルな外観を有しており、その活用度が次第に高まっている。
【発明の開示】
【発明が解決しようとする課題】
【０００５】
しかし、金属製のカバーが移動通信端末機に使用された場合、カバーの金属的特性により無線通信特性が低下するという問題があった。
【０００６】
本発明は、このような従来技術の問題を解決するためになされたもので、薄くて強い金属製のカバーを使用してその外観を改善でき、かつ、前記金属製のカバーによる無線通信特性の低下を防止できる移動通信端末機を提供することを目的とする。
【課題を解決するための手段】
【０００７】
上記の目的を達成するために、本発明による移動通信端末機は、グランド部を備える本体と、前記本体に結合した金属製のカバーと、前記本体のグランド部を前記カバーに電気的に接続するグランドユニットとを含む。前記カバーは前記移動通信端末機の外面を形成し、前記グランドユニットは前記本体と前記カバーの対向面のいずれか一方に設置される。
【０００８】
本発明の一態様によれば、前記カバーは、前記本体に固定的に又は着脱可能に結合される。前記カバーは、前記本体に着脱可能に結合されてバッテリを覆うバッテリカバーでもよい。前記グランド部は前記本体に内蔵される回路基板に形成され、前記グランドユニットは前記グランド部を前記金属製のカバーに電気的に接続する。前記グランドユニットは、前記本体と前記カバーの対向面のいずれか一方に設置され、他方に向かって延びて前記他方に接触することにより、前記本体と前記カバーとを電気的に接続する。従って、前記金属製のカバーによる前記移動通信端末機の無線通信特性の低下を防止できる。さらに、前記移動通信端末機に印加される静電気の影響も最小化できる。
【０００９】
本発明の他の態様によれば、前記カバーと前記グランド部との間に端子ユニットを備えて、前記カバーと前記本体とを電気的に接続する。前記端子ユニットは、前記本体に装着されてカードを収容するカードソケットでもよい。前記カードソケットは、前記グランド部に接続される金属製のホルダーを備えることができる。
【００１０】
本発明のさらに他の態様によれば、前記グランドユニットは、前記カバーの内面に位置する取付部と、前記取付部から前記端子ユニットに向かって延びる弾性延長部とを含む。前記弾性延長部は、前記端子ユニットに接触させたとき、前記カバーに向かって弾性的に変位することができる。前記端子ユニットに向かって突出する突起部により、前記カバーと前記端子ユニットとの電気的接続がより向上する。前記グランドユニットは、少なくとも１つのスロットにより少なくとも前記取付部と前記弾性延長部とに分けられる金属板材でもよい。前記取付部は前記カバーに溶接により固定することができる。
【００１１】
本発明のさらに他の態様によれば、前記グランドユニットは、前記本体に装着された少なくとも１つのポゴピン（ｐｏｇｏ−ｐｉｎ）を含む。前記ポゴピンは、一端が前記グランド部に接触し、他端は前記カバーに向かって弾性的に変位する。前記グランドユニットは、高さの異なる複数のポゴピンを含むことができる。この場合は、前記カバーと前記本体間の間隔が変化しても、前記それぞれのポゴピンと前記カバーとをより安定して接続することができる。
【００１２】
本発明のさらに他の態様によれば、前記カバーと前記グランド部とを電気的に接続又は接続解除するスイッチを備えることができる。より具体的には、前記スイッチがオン位置にある場合、前記カバーと前記グランド部とが電気的に接続され、前記スイッチがオフ位置にある場合、前記カバーと前記グランド部との電気的接続が解除される。前記スイッチは、前記移動通信端末機の無線通信特性に応じてオン位置とオフ位置間を移動可能である。例えば、前記移動通信端末機の非通信状態においては、静電気の発生を抑制できるように、前記グランド部と前記カバーとの電気的接続を維持するために、前記スイッチをオン位置にする。前記移動通信端末機の充電状態においては、前記カバーへの漏洩電流の伝達を抑制できるように、前記グランド部と前記カバーとの電気的接続を解除するために、前記スイッチをオフ位置にする。制御器は前記スイッチを電気的に制御することができる。
【００１３】
本発明のさらに他の態様によれば、前記本体に対向する前記カバーの内面には絶縁層が形成される。前記グランドユニットが前記カバーに設置された場合、前記グランドユニットは前記絶縁層上に配置される。前記絶縁層は、絶縁物質をコーティングして形成するか、又は絶縁テープを貼り付けて形成することができる。前記絶縁層は、無線通信特性に影響を与えることなく、漏洩電流の外部への流出を防止する役割を果たす。
【００１４】
上記目的を達成するために、本発明は、例えば、以下の手段を提供する：
（項目１）
グランド部を備える本体と、
前記本体に結合されて移動通信端末機の外面を形成する金属製のカバーと、
前記本体のグランド部を前記カバーに電気的に接続し、前記本体と前記カバーの対向面のいずれか一方に設置されるグランドユニットと
を含むことを特徴とする移動通信端末機。
【００１５】
（項目２）
前記本体に装着されるバッテリをさらに含み、
前記カバーがバッテリカバーであることを特徴とする項目１に記載の移動通信端末機。
【００１６】
（項目３）
前記本体に装着されて前記グランド部に電気的に接続される金属製の端子ユニットをさらに含み、
前記グランドユニットが前記端子ユニットを介して前記グランド部を前記カバーに接続することを特徴とする項目１に記載の移動通信端末機。
【００１７】
（項目４）
前記本体に装着される回路基板と、
前記本体の一面に形成される導電膜とをさらに含み、
前記グランド部が前記回路基板に形成され、前記導電膜が前記グランド部と前記端子ユニットとを電気的に接続することを特徴とする項目３に記載の移動通信端末機。
【００１８】
（項目５）
前記グランドユニットは、
前記端子ユニットに対向する前記カバーの内面に位置する取付部と、
前記取付部から前記端子ユニットに向かって延びる弾性延長部とを含み、
前記弾性延長部が、前記端子ユニットに接触したときに前記カバーに向かって弾性的に変位することを特徴とする項目３に記載の移動通信端末機。
【００１９】
（項目６）
前記弾性延長部は、前記端子ユニットに向かって突出する突起部を含むことを特徴とする項目５に記載の移動通信端末機。
【００２０】
（項目７）
前記グランドユニットが、少なくとも１つのスロットにより少なくとも前記取付部と前記弾性延長部とに分けられる金属板材であることを特徴とする項目５に記載の移動通信端末機。
【００２１】
（項目８）
前記取付部が前記カバーに溶接により固定されることを特徴とする項目７に記載の移動通信端末機。
【００２２】
（項目９）
前記端子ユニットが前記本体に装着されるカードソケットであり、
前記カードソケットは、
コネクタと、
前記本体のグランド部に接続されてカードを収容する金属製のホルダーと
を含むことを特徴とする項目７に記載の移動通信端末機。
【００２３】
（項目１０）
前記ホルダーに収容されたカードを前記コネクタに向かって弾性的に押圧する押圧突起をさらに含むことを特徴とする項目９に記載の移動通信端末機。
【００２４】
（項目１１）
前記押圧突起が、前記取付部に形成されて前記カードに向かって折曲延長されることを特徴とする項目１０に記載の移動通信端末機。
【００２５】
（項目１２）
前記グランドユニットは、前記本体に装着される少なくとも１つのポゴピンを含み、
前記少なくとも１つのポゴピンの一端が前記グランド部に接触し、他端が前記カバーに向かって弾性的に変位することを特徴とする項目１に記載の移動通信端末機。
【００２６】
（項目１３）
前記少なくとも１つのポゴピンが複数のポゴピンを含み、
前記複数のポゴピンがそれぞれ異なる高さを有することを特徴とする項目１２に記載の移動通信端末機。
【００２７】
（項目１４）
前記カバーと前記グランド部とを電気的に接続するか、又は接続解除するスイッチをさらに含むことを特徴とする項目１に記載の移動通信端末機。
【００２８】
（項目１５）
前記スイッチがオン位置にある場合、前記カバーと前記グランド部とが電気的に接続され、前記スイッチがオフ位置にある場合、前記カバーと前記グランド部とが電気的に分離され、前記スイッチは、前記移動通信端末機の無線通信特性に応じて前記オン位置と前記オフ位置間を移動可能であることを特徴とする項目１４に記載の移動通信端末機。
【００２９】
（項目１６）
前記移動通信端末機が非通信状態の場合、前記スイッチが前記オン位置にあり、前記移動通信端末機が充電状態の場合、前記スイッチが前記オフ位置にあることを特徴とする項目１５に記載の移動通信端末機。
【００３０】
（項目１７）
前記本体に対向する前記カバーの内面に絶縁層が形成されることを特徴とする項目１に記載の移動通信端末機。
【００３１】
（項目１８）
前記グランドユニットは、前記絶縁層上に配置されるように、前記カバーの内面に設置されることを特徴とする項目１７に記載の移動通信端末機。
【００３２】
（項目１９）
前記絶縁層は、絶縁物質をコーティングして形成するか、又は絶縁テープを貼り付けて形成することを特徴とする項目１７に記載の移動通信端末機。
【００３３】
（項目２０）
前記グランドユニットは
前記本体に対向する前記カバーの内面に位置する取付部と、
前記取付部から前記本体に向かって延びる弾性延長部と
を含むことを特徴とする項目１に記載の移動通信端末機。
【００３４】
（項目２１）
前記弾性延長部は、前記本体に向かって突出する突起部を含むことを特徴とする項目２０に記載の移動通信端末機。
【００３５】
（項目２２）
前記グランドユニットが、少なくとも１つのスロットにより少なくとも前記取付部と前記弾性延長部とに分けられる金属板材であることを特徴とする項目２０に記載の移動通信端末機。
【００３６】
（項目２３）
前記取付部が前記カバーに溶接により固定されることを特徴とする項目２０に記載の移動通信端末機。
【００３７】
（項目２４）
グランド部を備える本体と、
前記本体に結合されて移動通信端末機の外面を形成する金属製のカバーと、
前記本体のグランド部を前記カバーに電気的に接続する手段と
を含むことを特徴とする移動通信端末機。
【発明の効果】
【００３８】
本発明によれば、薄くて強い金属製のカバーを使用して移動通信端末機の外観を改善でき、かつ、グランドユニットにより前記金属製のカバーによる移動通信端末機の無線通信特性の低下を防止できる。
【００３９】
また、前記グランドユニットが複数のポゴピンの形態を有する場合は、前記グランドユニットと前記カバーとの接触及びそれによる電気的接続を安定して維持できる。
【００４０】
さらに、前記グランドユニットによるグランド部とカバーとの電気的接続を維持又は解除できるように設定されたスイッチを備えることにより、移動通信端末機の構造的特性や作動状態に応じて前記電気的接続の維持又は解除を調節できる。
【発明を実施するための最良の形態】
【００４１】
以下、本発明による移動通信端末機の好ましい実施形態について添付図面を参照して詳細に説明する。
【００４２】
図１は本発明の第１実施形態による移動通信端末機を示す斜視図である。以下では移動通信端末機を例に挙げて説明するが、本発明はこれに限定されるものではなく、ＰＤＡ、携帯用ゲーム機、携帯用音楽再生機、又は携帯用計算機などの他の携帯用装置にも適用することができる。また、本実施形態ではストレートタイプの移動通信端末機を例に挙げて説明するが、本実施形態は、２つの構成要素が連結されて相対運動する折り畳みタイプやスライドタイプ、又はこれらが組み合わせられたタイプにも適用することができる。
【００４３】
図１に示すように、本発明の第１実施形態による移動通信端末機１０は、本体１１と、本体１１の少なくとも一面を覆う金属製のカバー２０とを含む。金属製のカバー２０により、移動通信端末機１０は別途の補強構造又は形状を必要とすることなく、滑らかな外観を有する。
【００４４】
金属製のカバー２０の内面には、カバー２０と本体１１のグランド部１５ａ（図３参照）とを電気的に接続するグランドユニット３０が設置される。本体１１にはカメラ４０が配設され、カメラ４０はカバー２０の貫通孔（又は、開口部）２３から露出する。本実施形態ではグランドユニット３０が金属製のカバー２０の内面に設置されているが、グランドユニット３０は、金属製のカバー２０に接触するように本体１１に設置することもできる。
【００４５】
図２に示すように、金属製のカバー２０は、本体１１に着脱可能に結合され、本体１１に着脱可能に装着されたバッテリ１３を覆う。従って、本実施形態のカバー２０はバッテリカバーでもある。カバー２０の本体１１への着脱は、第１結合部と第２結合部の結合及び結合解除により行われる。前記第１結合部は、カバー２０の下端に形成された係止部材２２と、これに対応して本体１１に形成された係止溝（図示せず）とを含む。前記第２結合部は、カバー２０の上端に形成されて貫通孔２１ａを有するフック２１と、これに対応して本体１１に形成されたロック部材１２とを含む。本実施形態ではカバー２０がバッテリカバーの役割を果たす場合を例に挙げて説明するが、カバー２０は、従来技術により本体１１に固定的に結合される他のタイプのカバーでもよい。
【００４６】
本体１１のグランド部１５ａと金属製のカバー２０との電気的接続を安定して維持するために、グランドユニット３０は、本体１１に弾性的に接触できるように形成される。
【００４７】
グランドユニット３０が接触する本体１１の該当部位は、本体１１のグランド部１５ａに接続される金属製の端子ユニットでもよい。前記端子ユニットとして、金属製のホルダー５４を有するカードソケット５０を備えることが好ましい。カードソケット５０に収容されるカード６０としては、ユーザＩＤカード、メモリカード、又は移動通信端末機に使用される他の適当なカードなどを使用できる。グランドユニット３０をグランド部１５ａに接続するために、前記端子ユニットに代えて前記本体１１の他の部分を使用することもできる。
【００４８】
従って、前記端子ユニットとしてカードソケット５０を使用した場合、通常の金属製の部材をグランドユニット３０に接触する導電通路として使用することができ、本体１１に別途の金属部材を必要としない。その結果、前記移動通信端末機の全体サイズが大きくなることを防止し、部品点数と製造コストを低減することができる。
【００４９】
図２に示すように、カードソケット５０は、本体１１のハウジング５１にカード（図示せず）を収容できるように所定の深さを有するカード装着凹部５２と、カード装着凹部５２に設置されて複数の端子５３ａを有するコネクタ５３と、カード装着凹部５２の上部に固定されてカード装着凹部５２に前記カードが固定した状態を維持する金属製のホルダー５４とを含む。
【００５０】
カードソケット５０とカバー２０との電気的接続を提供するために、グランドユニット３０は、金属製のホルダー５４に接触できるようにカバー２０に設置される。具体的には、グランドユニット３０は、カバー２０に取り付けられる取付部３１と、取付部３１から延びてホルダー５４に接触する弾性延長部３２とを含む。弾性延長部３２は、取付部３１からホルダー５４に向かって傾斜して延びており、カバー２０が本体１１に結合された場合、ホルダー５４によりカバー２０に向かって弾性的に変位する。従って、カバー２０とホルダー５４との電気的接続がより安定して維持される。
【００５１】
グランドユニット３０は、カバー２０との結合特性を向上させるために、薄い金属板材で形成することが好ましい。前記金属板材の中央部分にはスロット３４が円弧状に形成される。スロット３４が円弧状に形成されることによって、前記金属板材の外片は取付部３１の役割を果たし、前記金属板材の内片は弾性延長部３２の役割を果たす。スロット３４は複数にすることもできる。また、取付部３１と弾性延長部３２はそれぞれ複数の片で構成することもできる。
【００５２】
ホルダー５４と弾性延長部３２との接触を向上させるように、弾性延長部３２は、ホルダー５４に向かって突出する突起部３３を含む。取付部３１は、スポット溶接又はレーザ溶接などによりカバー２０に取り付けることができる。図２に示すように、取付部３１は、複数の溶接スポット３５により、複数の位置でカバー２０に溶接される。従って、グランドユニット３０は、カバー２０に結合される１つの簡単な部品として実現される。
【００５３】
図２に示すように、カバー２０は、バッテリ１３とカードソケット５０を覆うと共に、貫通孔２３からカメラ４０のレンズ、フラッシュなどが露出するように形成される。連続した外観を提供するために、カバー２０は１つの金属材質で形成される。また、グランド部１５ａがグランドユニット３０によりカバー２０に接続されるので、カバー２０による無線通信特性の低下を防止でき、移動通信端末機の静電気防止機能も向上する。
【００５４】
図３及び図４に示すように、ホルダー５４の縁部５４ａ、５４ｂは、導電膜５６が形成されているハウジング５１の内面に接触する。縁部５４ａ、５４ｂは、これらに挿入された固定突起５５が導電膜５６に接触した場合、ハウジング５１に固定される。導電膜５６は、プリント基板などの回路基板１５のグランド部１５ａに接続され、回路基板１５はねじ１８により固定された部分でハウジング５１に接触する。
【００５５】
カードソケット５０のホルダー５４は、導電膜５６を介して回路基板１５のグランド部１５ａに電気的に接続され、カバー２０が本体１１に結合した状態でグランドユニット３０に接触する。具体的には、グランドユニット３０の弾性延長部３２と突起部３３がホルダー５４に接触した場合、これらは弾性的に変位する。従って、カバー２０とグランド部１５ａ間の通電状態が安定して維持される。
【００５６】
図３及び図４に示すように、移動通信端末機１０は、カバー２０に対向する本体１１の一面に装着されて視覚情報を出力するディスプレイ部１６と、ディスプレイ部１６を覆って移動通信端末機の外観を形成するウィンドウ１７とをさらに含む。
【００５７】
図１〜図４に示す第１実施形態の変形例は、図５及び図６に示すように、コネクタ１５３に向かってカード１６０を弾性的に押圧する押圧突起１３５をさらに含む。押圧突起１３５は、グランドユニット１３０に折曲形成されるが、取付部１３１からカード１６０に向かって突出するように延びる。
【００５８】
従って、カバー１２０が本体１１１に装着されたとき、カード１６０とコネクタ１５３との電気的接続が安定して維持される。押圧突起１３５は、グランドユニット１３０の製造及び加工を容易にするために、グランドユニット１３０と共に金属板材上に形成される。図５及び図６に示す移動通信端末機の構成及び作用は第１実施形態と類似する。また、第１実施形態と同じ構成要素には類似した参照番号を付し、その詳細な説明は省略する。
【００５９】
図７は本発明の第２実施形態による移動通信端末機の本体からカバーが分離された状態を示す分解斜視図である。第１実施形態の移動通信端末機１００と同様に、本発明の第２実施形態は移動通信端末機に限定されるものではない。また、本実施形態では折り畳みタイプの移動通信端末機を例に挙げて説明するが、本実施形態は、ストレートタイプやスライドタイプの移動通信端末機にも適用することができる。
【００６０】
図７に示すように、本発明の第２実施形態による移動通信端末機は、第１筐体２１１と第２筐体２１５がヒンジ部２１６により回動可能に結合された本体２１０から構成される。第２筐体２１５の一面には、視覚情報を出力するディスプレイ２１７及び聴覚情報を出力するスピーカ２１８が備えられる。
【００６１】
第１筐体２１１の背面に形成された収容部２１２には、バッテリ２１４が着脱可能に装着される。第１筐体２１１の背面には、バッテリ２１４を覆うように、カバー２２０が着脱可能に結合される。カバー２２０は金属材質で形成される。カバー２２０の本体２１０への結合は、本体２１０の第１筐体２１１に形成された結合溝２１３と、カバー２２０に形成された結合突起２２３とにより行われる。カバー２２０は、他の従来技術を用いて本体２１０に結合することもできる。
【００６２】
図８に示すように、本体２１０、特に、第１筐体２１１の内部に形成されるグランド部２４１とカバー２２０との電気的接続のためのグランドユニット２３０は、第１筐体２１１の収容部２１２を規定する部分に装着される。グランドユニット２３０は１つ以上形成することができる。グランドユニット２３０の一端部は、回路基板２４０に形成されたグランド部２４１に接触し、他端部は、図８には示していないが、カバー２２０に接触するように第１筐体２１１内に配置される（図７参照）。
【００６３】
グランドユニット２３０はポゴピンの形態を有することができる。グランドユニット２３０は、内部空間を備えるハウジング２３１と、ハウジング２３１の内部空間に配置される接続ロッド２３２と、ハウジング２３１の内部空間に配置されて接続ロッド２３２を付勢する弾性部材２３３と、ハウジング２３１から延びてグランド部２４１に接触する接触ピン２３４とを含む。接続ロッド２３２が弾性部材２３３により弾性的に変位することによって、接続ロッド２３２はカバー２２０に安定して接触する。従って、グランド部２４１がグランドユニット２３０を介してカバー２２０に安定して接続されて、グランド部２４１が拡張されるので、移動通信端末機２００の無線通信特性が金属製のカバー２２０の特性により低下することを防止できる。また、グランド部２４１と金属製のカバー２２０との電気的接続により、移動通信端末機の静電気の発生を防止する機能も向上する。
【００６４】
図９は図７の異なる高さを有する３つのグランドユニットを示す概略図である。図９に示すように、グランドユニット２３０は、それぞれ異なる高さｈ１〜ｈ３を有する第１〜第３グランドユニット２３０−１、２３０−２、２３０−３を含む。
【００６５】
カバー２２０が図７に示す第１筐体２１１に結合されて第２グランドユニット２３０−２に接触した場合、第２及び第３グランドユニット２３０−２、２３０−３により、グランド部２４１とカバー２２０との電気的接続が安定して維持される。また、カバー２２０が第１筐体２１１に結合されて第３グランドユニット２３０−３に接触した場合、第３グランドユニット２３０−３により、グランド部２４１とカバー２２０との電気的接続が安定して維持される。また、カバー２２０が第１筐体２１１に結合されて第１グランドユニット２３０−１に接触した場合、第１〜第３グランドユニット２３０−１、２３０−２、２３０−３により、グランド部２４１とカバー２２０との電気的接続が安定して維持される。このように、第１〜第３グランドユニット２３０−１、２３０−２、２３０−３が異なる高さを有することによって、カバー２２０が第１筐体２１１に異なる間隔を有して結合された場合も、グランド部２４１とカバー２２０との電気的接続が安定して維持される。
【００６６】
以下、図１０及び図１１を参照して漏洩電流を遮断するための構成について説明する。
【００６７】
漏洩電流は交流電流により発生するもので、移動通信端末機２００は、図７に示すように、バッテリ２１４から供給された直流電流により動作するため、漏洩電流などの問題が発生しない。しかし、バッテリ２１４を充電するために、充電器（図示せず）により移動通信端末機２００に交流電流を供給する場合は、漏洩電流などの問題が発生する。
【００６８】
このような移動通信端末機の充電時の漏洩電流の問題を解決するために、第１筐体２１１に対向するカバー２２０の内面には絶縁層２６０が形成される。絶縁層２６０は、金属製のカバー２２０の内面２２１に絶縁物質をコーティングして形成するか、又は絶縁テープを貼り付けて形成する。絶縁層２６０により、移動通信端末機２００の充電時に発生する漏洩電流はカバー２２０に伝達されず、カバー２２０は絶縁層２６０によりシールドされる。従って、ユーザが移動通信端末機２００のカバー２２０の外面２２２を触っても、漏洩電流による感電は発生しない。結果として、ユーザは移動通信端末機２００を安全に使用でき、カバー２２０の外面２２２は、これに絶縁物質を塗布するなどの別途の工程を追加せずに露出できる。また、カバー２２０を介して移動通信端末機２００に印加される静電気は、絶縁層２６０によりカバー２２０に吸収される。
【００６９】
絶縁層２６０上にグランド層２７０を形成することができる。例えば、グランド層２７０は、グランドユニット２３０に接触する導電性テープなどでもよい。従って、カバー２２０により吸収できるレベル以上の静電気は、カバー２２０からグランド層２７０に伝達された後、図８に示すようにグランド部２４１により吸収される。
【００７０】
図１２は本発明の第３実施形態による移動通信端末機の本体とカバーとの電気的接続のための制御フローを示す図である。グランド部３１０とカバー３２０は、前述した実施形態のグランド部１５ａ、２４１とカバー２０、１２０、２２０にそれぞれ対応する。また、グランド部３１０とカバー３２０との電気的接続は、前述したグランドユニット３０、１３０、２３０により直接的に行われるか、又は端子ユニット５０を介して行われる。
【００７１】
カバー３２０とグランド部３１０との電気的接続は、これらの接続ライン上に介在するスイッチ３３０により維持（オン）されるか、又は解除（オフ）される。一般に、移動通信端末機３００の無線通信特性の低下を防止するために、グランド部３１０が金属製のカバー３２０に電気的に接続されることが好ましい。しかし、カバー３２０に対するアンテナ（図示せず）の配置などの構造的な要因によっては、逆の配置も可能である。後者の場合、グランド部３１０とカバー３２０との電気的接続の解除は、スイッチ３３０により行われる。
【００７２】
スイッチ３３０は、これに電気的に接続される制御部３４０によりオン／オフされる。制御部３４０は、通信状態の場合、グランド部３１０とカバー３２０との電気的接続が無線通信特性に及ぼす影響に応じて、スイッチ３３０をオン又はオフにする。すなわち、アンテナの配置によってグランド部３１０をカバー３２０に電気的に接続することが好ましい場合は、移動通信端末機３００の通信状態でスイッチ３３０がオンになるように設定し、反対の場合は、スイッチ３３０がオフになるように設定すればよい。また、制御部３４０は、通信状態でない場合（待機状態）は、スイッチ３３０をオンにしてグランド部３１０がカバー３２０に電気的に接続されるようにして、移動通信端末機３００の待機状態での静電気からの保護を向上させる。制御部３４０は、移動通信端末機３００の充電時には、スイッチ３３０をオフにすることにより、移動通信端末機の充電時に発生する交流電流による漏洩電流をカバー３２０により遮断させる。
【００７３】
以上、本発明は、図面に示す実施形態を参照して説明したが、これは例示にすぎず、本発明の属する技術の分野における通常の知識を有する者であれば、これから多様な変形及び他の実施形態が可能であることは自明である。従って、本発明の権利範囲は、添付した特許請求の範囲の技術的思想により決定されるべきである。
【００７４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００７５】
【図１】本発明の第１実施形態による移動通信端末機を示す斜視図である。
【図２】図１の移動通信端末機の本体からカバーが分離された状態を示す分解斜視図である。
【図３】図１のＩＩＩ−ＩＩＩ線断面図である。
【図４】図３のＩＶ−ＩＶ線断面図である。
【図５】本発明の第１実施形態の変形例による移動通信端末機の本体からカバーが分離された状態を示す分解斜視図である。
【図６】図５の移動通信端末機の本体にカバーが装着された状態を示す部分断面図である。
【図７】本発明の第２実施形態による移動通信端末機の本体からカバーが分離された状態を示す分解斜視図である。
【図８】図７のＩＩＸ−ＩＩＸ線断面図である。
【図９】図７の異なる高さを有する３つのグランドユニットを示す概略図である。
【図１０】図７のカバーの内面を示す正面図である。
【図１１】図１０のＸＩ−ＸＩ線断面図である。
【図１２】本発明の第３実施形態による移動通信端末機の本体とカバーとの電気的接続のための制御フローを示す図である。
【図１】
2008028987.tif 000003
【図２】
2008028987.tif 000004
【図３】
2008028987.tif 000005
【図４】
2008028987.tif 000006
【図５】
2008028987.tif 000007
【図６】
2008028987.tif 000008
【図７】
2008028987.tif 000009
【図８】
2008028987.tif 000010
【図９】
2008028987.tif 000011
【図１０】
2008028987.tif 000012
【図１１】
2008028987.tif 000013
【図１２】
2008028987.tif 000014